(57)【要約】【課題】カード用コネクタの長さを減少することが図れ、回路基板の空間が有効に利用されるカード用コネクタを提供する。【解決手段】本発明のカードコネクタは、複数の導電端子を装着される絶縁本体と、前記絶縁本体を覆うシェルとを含むカード用コネクタにおいて、前記絶縁本体とシェルとはカードを収容するための収容空間を形成し、前記収容空間はカードを挿入する先端部と奥側の後端部とを有し、前記後端部の隅には切り欠きが形成され、前記導電端子に電気的に接続する中継部材が前記切り欠きに配置されることを特徴とする。【選択図】図１
2009164106.tif 000002
【特許請求の範囲】
【請求項１】
複数の導電端子を装着される絶縁本体と、
前記絶縁本体を覆うシェルと、
を含むカード用コネクタにおいて、
前記絶縁本体とシェルとはカードを収容するための収容空間を形成し、
前記収容空間はカードを挿入する先端部と奥側の後端部とを有し、前記後端部の隅には切り欠きが形成され、前記導電端子に電気的に接続する中継部材が前記切り欠きに配置されることを特徴とするカード用コネクタ。
【請求項２】
前記カード用コネクタは、前記絶縁本体の底部に位置する回路基板を含み、前記回路基板が前記切り欠きに部分的に露出され、前記中継部材が回路基板に実装されることを特徴とする、請求項１に記載のカード用コネクタ。
【請求項３】
前記シェルは、幅狭い後端壁と幅広い先端壁とを有し、前記切り欠きが前記後端壁の一方の側に形成されることを特徴とする、請求項１に記載のカード用コネクタ。
【請求項４】
前記絶縁本体は基部と、基部から収容空間の方向へ向いて延出する舌片を形成し、前記導電端子が前記舌片に装着されると共に収容空間に露出していることを特徴とする、請求項１に記載のカード用コネクタ。
【発明の詳細な説明】
【技術分野】
【０００１】
本発明は、カード用コネクタに関し、特に回路基板に接続するためのカード用コネクタに関するものである。
【背景技術】
【０００２】
一例として、従来技術のカードコネクタは、特許文献１に示すように、回路基板に実装され、第１導電端子を装着するための第１インシュレータと、第１インシュレータを覆っているシェルと、第２導電端子を装着される第２インシュレータとを有し、前記第１インシュレータとシェルとは第１カードを収容するための第１収容空間を形成し、第２インシュレータにより第２カードを収容するための第２収容空間が形成されている。カード用コネクタが回路基板に実装され、カード用コネクタの先端に回路基板に接続する中継基板に配置され、第１導電端子と第２導電端子とが中継基板に機械且つ電気的に接続し、中継基板を介してカード用コネクタが回路基板に接続している。
【特許文献１】中国実用新案公告第２５２００１１明細書
【発明の開示】
【発明が解決しようとする課題】
【０００３】
しかしながら、特許文献１に掲示されたカード用コネクタの先端には中継基板が配置されるので、カード用コネクタの長さが増長することは必要であり、回路基板を占める空間が増加し、カード用コネクタの小型化に不利になった。そこで、上記欠点に鑑みて、新型のカード用コネクタを開発することが必要である。
【０００４】
本発明は、カード用コネクタの長さを減少することが図れ、回路基板の空間が有効に利用されるカード用コネクタを提供することを目的とする。
【課題を解決するための手段】
【０００５】
前記目的を達成するために、本発明のカードコネクタは、複数の導電端子を装着される絶縁本体と、前記絶縁本体を覆うシェルとを含むカード用コネクタにおいて、前記絶縁本体とシェルとはカードを収容するための収容空間を形成し、前記収容空間はカードを挿入する先端部と奥側の後端部とを有し、前記後端部の隅には切り欠きが形成され、前記導電端子に電気的に接続する中継部材が前記切り欠きに配置されることを特徴とする。
【発明の効果】
【０００６】
従来の技術に比べると、本発明のカード用コネクタは以下の効果を奏する。中継部材が切り欠きに配置されることによって、カード用コネクタの後端に配置されることは必要せず、カード用コネクタの長さが減少され、回路基板の空間が有効に利用される。
【発明を実施するための最良の形態】
【０００７】
図１〜図３に基づいて、本発明のカード用コネクタ１００について説明する。カード用コネクタ１００は、同時に二種の異なるカードに接続でき、第１シェル２０と、第１シェル２０の下方に組付けられる絶縁本体６０と、絶縁本体６０の下方に組付ける絶縁ベース３０と、絶縁ベース３０の下方を覆う第２シェル１０と、絶縁本体６０及び絶縁ベース３０の間に配置される回路基板５０とを含む。回路基板５０には中継部材８０が配置される。
【０００８】
第１シェル２０が絶縁本体６０を覆うことによって、第１カード（図示せず）に接続するための第１収容空間（参照記号なし）が形成され、第１収容空間がカードを挿入する先端部と、該先端部に反するように配置される奥側の後端部とを有し、絶縁本体６０が第１収容空間の後端部に配置され、第１イジェクト機構９０が絶縁本体６０の一方の側に配置される。第２シェル１０と絶縁ベース３０とによって第２収容空間（参照記号なし）が形成され、端子モジュールが第２収容空間に収容されている。前記絶縁本体６０と、絶縁本体６０に装着された導電端子６５と、絶縁本体６０に覆う第１シェル２０は第１コネクタからなり、前記絶縁ベース３０と、第２シェル１０と端子モジュールは第２コネクタからなっている。
【０００９】
絶縁本体６０は、一対の固定部６１と、一対の固定部６１の間に設ける基部６３と、固定部６１からそれぞれ延出するように形成される延出アーム６４と、基部６３から延出し、前記一対の延出アーム６４の間に位置する舌片６２と、を含み、前記固定部６１にネジ孔６１０が貫通するように形成され、基部６３に後向きに延出する係止凸部６３１が形成され、舌片６２に前記導電端子６５が保持され、導電端子６５が回路基板５０に半田付けするように接続できる。
【００１０】
第１シェル２０は、Ｌ字形状を呈し、幅広い先端壁２５と、幅狭い後端壁２４と、先端壁２５と後端壁２４から下向きに延出する側壁２１とを含み、先端壁２５と後端壁２４との連接する箇所に横側壁２３が形成され、これによって、第１シェル２０の後端の右隅に切り欠き２６が形成する。前記横側壁２３に弾性片２３２と、底部から第１収容空間へ突出する収容壁２３１とを有し、幅狭い後端壁２４には後端の方向へ向いて延出する突出部（参照記号なし）がそれぞれ設けられ、各突出部には絶縁本体６０のネジ孔６１０に対応するためのネジ孔２４１が形成され、両突出部の間に前壁（参照記号なし）が形成され、前壁に絶縁本体６０の係止凸部６３１に係合するための係合孔２４２が形成されている。
【００１１】
前記第１コネクタは第１収容空間に配置され、カードの挿入をガイドするためのガイド部材４０を含み、ガイド部材４０はガイド部４２と保持部４３とを有する。保持部４３は第１シェル２０の弾性片２３２に当接し、その底部に第１シェル２０の収容壁２３１に係合するための収容溝４４が形成されている。
【００１２】
絶縁ベース３０は、主体部３３と、主体部３３から後向きに延出するように収容部３４とを含み、主体部３３と収容部３４との連接する箇所には階段が形成されることで、階段部６５によって主体部６４と収容部６３とが異なる平面にそれぞれ位置し、回路基板５０が収容部３４に配置される。前記収容部３４には開口部３５と、開口部３５の両側に位置する凸部３０２と、前記ネジ孔６１０，２４１に対応するネジ孔３０３とを形成し、前記端子モジュールが開口部３５に収容されて回路基板５０に半田付けられる。絶縁ベース３０の両側には係合部３１０，３１１が形成され、後端部には前記第１シェル２０の切り欠き２６に対応する空間部（図示せず）が切欠けるように形成し、前記切り欠き２６と空間部とが回路基板５０の両側にそれぞれ位置する。
【００１３】
回路基板５０が平板状を呈し、絶縁ベース３０の収容部３４に配置され、第１コネクタと第２コネクタとの間に位置し、絶縁ベース３０凸部３０２に係合するための孔５０２と、前記ネジ孔６１０，２４１，３０３に対応するネジ孔５０３とを設ける。
【００１４】
第２シェル１０は、本体部１１と、本体部１１の両側から上向きに延出する係止部１３，１４とを有し、係止部１３，１４が絶縁ベース３０の係合部３１０，３１１に対応し係合する。主体部１１の後端に前記ネジ孔６１０，２４１，３０３に対応するネジ孔１０１が設けられ、且つ、前記絶縁ベース３０の空間部に対応するための空間部を切欠いて設ける。
【００１５】
取り付ける時に、回路基板５０が絶縁ベース３０の収容部３４に配置されることにより回路基板５０が主体部３３と同じ平面に位置し、端子モジュールが回路基板５０に半田付けされ、第２シェルが絶縁ベース３０に係合し、これによって第２コネクタからなり、第２コネクタの後端の隅には空間部３６が形成される。導電端子６５が回路基板５０に半田付けられることにより、絶縁本体６０と端子モジュールとが回路基板５０の両側に配置され、第１シェル２０が絶縁本体６０を覆い、これによって第１コネクタからなる。中継部材８０が第１シェル２０の切り欠き２６によって回路基板５０に実装され、その一端が回路基板５０の導電パッドを介して導電端子６５と端子モジュールにそれぞれ接続し、他端が電子設備に接続し、これによって、カードと電子設備との間の信号伝送を実現する。最後に、保持部材７０により第１コネクタと第２コネクタが積み重なるように保持され、後端がナットがネジ孔２４１，６１０，５０３，３０３，１０１を順に貫通するように保持される。
【００１６】
本発明のカード用コネクタ１００は、中継部材８０が第１シェル２０の切り欠き２６に露出した回路基板５０に実装することによって、中継部材８０がカード用コネクタの先端に実装することを避けるので、カード用コネクタ１００の長さが減少され、電子設備の基板の導電線路配置に有利になる。また、他の実施状態において、中継部材８０が第２コネクタの空間部３６に配置され得る。本実施状態において、第１コネクタはEXPRESSカード用コネクタであり、第２コネクタはSmartカード用コネクタである。
【００１７】
本実施状態において、カード用コネクタ１００が積み重なるように配置される第１コネクタと第２コネクタとからなるが、他の実施状態において、図４を参照すると、独立的な一つのカード用コネクタ１００’であり、絶縁本体６０’と、絶縁本体６０’を覆うシェル２０’と、絶縁本体６０’に装着される複数の導電端子６５’と、絶縁本体６０’の底部に実装される回路基板５０’と、シェル２０’先端に配置される保持部材７０’と、中継部材８０’とを有する。絶縁本体６０’とシェル２０’とはカードを収容するための収容空間（参照記号なし）を形成し、収容空間は、幅広い先端壁と幅狭い後端壁とを有し、後端の隅に切り欠きＡ’が形成され、中継部材８０’が切り欠きＡ’に露出される回路基板５０’に実装される。
【００１８】
勿論、中継部材８０は、例えば、コネクタ、ＦＦＣ，ＦＰＣ、普通のケーブル等である。
【００１９】
以上本発明についてよい実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【図面の簡単な説明】
【００２０】
【図１】本発明に係るカード用コネクタの組立斜視図である。
【図２】図１に示すカード用コネクタの他の角度から見た組立斜視図である。
【図３】図１に示すカード用コネクタの部分の分解斜視図である。
【図４】他の実施状態のカード用コネクタの部分の組立斜視図である。
【符号の説明】
【００２１】
１００  カード用コネクタ
１０  第２シェル
１１  本体部
１３，１４  係合部
１０１，２４１，３０３，５０３，６１０  ネジ孔
２０  第１シェル
２１  側壁
２３  横側壁
２３１  収容壁
２３２  弾性片
２４  後端壁
２５  先端壁
２６  切り欠き
３０  絶縁ベース
３３  主体部
３４  収容部
３５  開口部
４０  ガイド部材
５０  回路基板
６０  絶縁本体
６１  固持部
６２  舌片
６３  基部
６４  延出アーム
６５  導電端子
７０  保持部材
８０  中継部材
９０  第１イジェクト機構
【図１】
2009164106.tif 000003
【図２】
2009164106.tif 000004
【図３】
2009164106.tif 000005
【図４】
2009164106.tif 000006